(57)【要約】      （修正有）【課題】持ち運びに優れ、組み立てが容易でありながら、野外での使用において十分な強度を有する組み立て式テントを提供する。【解決手段】少なくも４本の支柱２と、隣接する支柱２を連結する横梁構造体３と、天幕を支持する屋根構造体４と、屋根構造体４と横梁構造体３を覆う天幕と、を備える組み立て式テントであって、四隅の支柱２と横梁構造体３で形成される平面略四角形の対向する辺部分に相当する横梁構造体３に、撓ませた弾性フレーム６の両端をそれぞれ連結し、湾曲した弾性フレーム６で屋根構造体４を形成する組み立て式テント。【選択図】図１
2014109157.tif 000002
【特許請求の範囲】
【請求項１】
少なくも４本の支柱と、隣接する支柱を連結する横梁構造体と、天幕を支持する屋根構造体と、屋根構造体と横梁構造体を覆う天幕と、を備える組み立て式テントであって、四隅の支柱と横梁構造体で形成される平面略四角形の対向する辺部分に相当する横梁構造体に、撓ませた弾性フレームの両端をそれぞれ連結し、湾曲した弾性フレームで屋根構造体を形成することを特徴とする組み立て式テント。
【請求項２】
平面略四角形の対向する辺部分のそれぞれの略中央に相当する位置で、撓ませた弾性フレームの両端を横梁構造体にそれぞれ連結することを特徴とする請求項１記載の組み立て式テント。
【請求項３】
四隅の支柱と横梁構造体で形成される平面略長方形の対向する長辺部分に相当する横梁構造体に、撓ませた弾性フレームの両端をそれぞれ連結し、湾曲した弾性フレームで屋根構造体を形成することを特徴とする請求項１又は２記載の組み立て式テント。
【請求項４】
湾曲した弾性フレームは、両端を結ぶ線を揺動軸線として揺動可能に横梁構造体に連結することを特徴とする請求項１乃至３のいずれかに記載の組み立て式テント。
【請求項５】
２本のシザーバーがＸ字状に回動自在に連結してなるシザーユニットを単独又は複数連結しパンタグラフ状に伸縮自在としたシザー組立体を横梁構造体とし、該シザー組立体の端部にある２本のシザーバーを支柱の上部に固定される固定ブラケットと支柱に沿って摺動するスライドブラケットにそれぞれ回動自在に取り付けて支柱を連結した組み立て式テントであって、シザーバーの連結部に弾性フレームの端部を連結することを特徴とする請求項１乃至４のいずれかに記載の組み立て式テント。
【請求項６】
湾曲した弾性フレームを天幕の内側面に備えた巻き留め部材で巻き留めることを特徴とする請求項１乃至５のいずれかに記載の組み立て式テント。
【請求項７】
弾性フレームは複数の弾性ロッドが連結ソケットで軸方向に連結されてなることを特徴とする請求項１乃至６のいずれかに記載の組み立て式テント。
【発明の詳細な説明】
【技術分野】
【０００１】
本発明は、少なくも４本の支柱と、隣接する支柱を連結する横梁構造体と、天幕を支持する屋根構造体と、屋根構造体と横梁構造体を覆う天幕と、を備えた組み立て式テントに関する。
【背景技術】
【０００２】
従来、一般的な組み立て式テントは、隣接する２本の支柱を横梁構造体で連結し、支柱の上部に天幕を支える屋根構造体を連結した骨組みに、骨組みの外側から屋根構造体と横梁構造体を覆うように天幕を取り付けて組み立てるが、屋根構造体の構造が複雑で部品点数が多いため、テントの組み立てに時間と労力を要し、持ち運びに不便なものが多かった(例えば、特許文献１)。
【０００３】
このため、近年では隣接する２本の支柱間をシザー組立体による伸縮可能な横梁構造体で連結し、支柱を左右に押し開くと横梁構造体が展開してテントを容易に設置することが可能な折り畳み式テントが開発され(例えば、特許文献２)、容易にテントを組み立てることが可能となったものの、屋根構造体を形成する部品の数は依然として多く、重量もあることから、テントの持ち運びが十分に容易であるとは必ずしもいえない。
【０００４】
また、横梁構造体を構成するシザー組立体は２本のバーを連結ピンで回動自在に軸着したＸ字状のフレームを連結して構成したものであり、横風等の横方向からの応力に対しては軸着部分が破損あるいは変形しやすく、テントの形状を維持できない危険性があるため、さらに強度を向上させる必要もある。
【０００５】
したがって、持ち運びに優れ、組み立てが容易でありながら、野外での使用において十分な強度を有する組み立て式テントの開発が望まれる。
【先行技術文献】
【特許文献】
【０００６】
【特許文献１】特開２００１−３０３８００号公報
【特許文献２】特開２００１−１８２３８３号公報
【発明の概要】
【発明が解決しようとする課題】
【０００７】
本発明は、持ち運びに優れ、組み立てが容易でありながら、野外での使用において十分な強度を有する組み立て式テントを提供することを課題とする。
【課題を解決するための手段】
【０００８】
前記課題を解決するために本発明者が検討を行った結果、四隅の支柱と横梁構造体で形成される平面略四角形の対向する辺部分に相当する横梁構造体に、撓ませた弾性フレームの両端をそれぞれ連結し、湾曲した弾性フレームで屋根構造体を形成することにより、容易にテントを組み立てることができ、しかもテントの強度を飛躍的に向上させることができることを見出し本発明を完成するに至った。
【０００９】
すなわち本発明は、少なくも４本の支柱と、隣接する支柱を連結する横梁構造体と、天幕を支持する屋根構造体と、屋根構造体と横梁構造体を覆う天幕と、を備える組み立て式テントであって、四隅の支柱と横梁構造体で形成される平面略四角形の対向する辺部分に相当する横梁構造体に、撓ませた弾性フレームの両端をそれぞれ連結し、湾曲した弾性フレームで屋根構造体を形成することを特徴とする組み立て式テントである。
【００１０】
さらに本発明は、平面略四角形の対向する辺部分のそれぞれの略中央に相当する位置で、撓ませた弾性フレームの両端を横梁構造体にそれぞれ連結することを特徴とする組み立て式テントである。
【００１１】
さらに本発明は、四隅の支柱と横梁構造体で形成される平面略長方形の対向する長辺部分に相当する横梁構造体に、撓ませた弾性フレームの両端をそれぞれ連結し、湾曲した弾性フレームで屋根構造体を形成することを特徴とする組み立て式テントである。
【００１２】
さらに本発明は、湾曲した弾性フレームは、両端を結ぶ線を揺動軸線として揺動可能に横梁構造体に連結することを特徴とする組み立て式テントである。
【００１３】
さらに本発明は、２本のシザーバーがＸ字状に回動自在に連結してなるシザーユニットを単独又は複数連結しパンタグラフ状に伸縮自在としたシザー組立体を横梁構造体とし、当該シザー組立体の端部にある２本のシザーバーを支柱の上部に固定される固定ブラケットと支柱に沿って摺動するスライドブラケットにそれぞれ回動自在に取り付けて支柱を連結した組み立て式テントであって、シザーバーの連結部に弾性フレームの端部を連結することを特徴とする組み立て式テントである。
【００１４】
さらに本発明は、湾曲した弾性フレームを天幕の内側面に備えた巻き留め部材で巻き留めることを特徴とする組み立て式テントである。
【００１５】
さらに本発明は、弾性フレームは複数の弾性ロッドが連結ソケットで軸方向に連結されてなることを特徴とする組み立て式テントである。
【発明の効果】
【００１６】
四隅の支柱と横梁構造体で形成される平面略四角形の対向する辺部分に相当する横梁構造体に、撓ませた弾性フレームの両端をそれぞれ連結し、湾曲した弾性フレームで屋根構造体を形成することにより、対向する横梁構造体は水平外方へ押し開くように付勢され、天幕の内側面に密着するため、テントの剛性を飛躍的に向上させることができる。また、弾性フレームを取り付けるだけで屋根構造体が形成されることから、テントの組み立て作業が容易となり、持ち運びにもすぐれたものとなる。
【００１７】
湾曲した弾性フレームを、両端を結ぶ線を揺動軸線として揺動可能に横梁構造体に連結することにより、たとえ横風による強い力が屋根構造体に加えられたとしても、弾性フレームが揺動して屋根の高さを低くし、横方向からの力を受け流すことができるため、テントの破損や変形が生じる危険性がない。また、テントを組み立てる際には、弾性フレームを傾けた状態で横梁構造体に取り付け、取り付けた後に、弾性フレームを垂直平面に位置する状態まで揺動して立ち上げればよく、テントの組み立て作業が容易となる。
【００１８】
特に、横梁構造体を、２本のシザーバーをＸ字状に回動自在に軸着したシザーユニットを連結したパンタグラフ状のシザー組立体とした組み立て式テントでは、シザーバーの連結部に弾性フレームの端部を連結することにより、２本のシザーバーを弾性フレームの弾性力で同時に付勢することができるとともに、弾性フレームと平行に位置する横梁構造体のシザー組立体を伸張する方向に助勢し、弾性フレームを連結した２本の横梁構造体をより効果的に天幕の内側面に密着させることが可能となる。
【図面の簡単な説明】
【００１９】
【図１】組み立て式テントの骨組みの外観図
【図２】組み立て式テントの外観図
【図３】弾性フレームと横梁構造体(シザー組立体)との連結を示す図((ａ)連結する前の状態、(ｂ)連結した後の状態)
【図４】弾性フレームの構造を示す図((ａ)弾性ロッドが連結ソケットに連結した状態、(ｂ)弾性ロッドが連結ソケットから脱離した状態)
【図５】天幕の内側表面を示す図((ａ)全体図、(ｂ)面ファスナーの拡大図)
【図６】組み立て式テント(他の実施形態)の骨組みの外観図
【発明を実施するための形態】
【００２０】
本発明の組み立て式テントについて、図を参照して以下に説明する。
【００２１】
図１、２に示すように、組み立て式テント(１)は、少なくも４本の支柱(２)と、隣接する支柱を連結する横梁構造体(３)と、天幕を支持する屋根構造体(４)と、屋根構造体と横梁構造体を覆う天幕(５)と、を備えており、四隅の支柱と横梁構造体で形成される平面略四角形の対向する辺部分に相当する横梁構造体(3a,3b)に、撓ませた弾性フレーム(６)の両端(6a,6b)をそれぞれ連結し、湾曲した弾性フレーム(６)で屋根構造体(４)を形成することを特徴とする。
【００２２】
このように弾性フレーム(６)を撓ませて横梁構造体(3a,3b)に連結することにより、対向する横梁構造体(3a,3b)は、弾性フレーム(６)の弾性力により、相互に離間する方向に押し広げられるように付勢される。そして、このようなテントの骨組み(1a)に、図２に示すように、天幕(５)を取り付けると、横梁構造体(3a,3b)は天幕(５)の内側面に押しつけられ、横梁構造体を天幕に密着固定することができる。また、弾性フレーム(６)は、弾性力を備えながら適度に変形するため、天幕の内側面に密着することができる。このように、弾性フレームの弾性力を利用して横梁構造体と弾性フレームとを天幕の内側面に密着させることにより、テント全体の剛性を飛躍的に向上させることができ、テントの強度を確実に向上させることができる。
【００２３】
また弾性フレーム(６)の両端(6a,6b)を、対向する横梁構造体(3a,3b)の長手方向の略中央にそれぞれ連結すれば、２本の横梁構造体(3a,3b)を平行に維持しながら横梁構造体を均等に天幕(５)の内側面に密着させることができるため、テントの剛性を効率的に高めることができる。また、最も変形しやすい横梁構造体の中央部分が天幕の内側面に密着するため、横梁構造体自体の変形を確実に防止することもできる。
【００２４】
図１は、四隅の支柱と横梁構造体で形成される平面形状が長方形を呈するテントの例を示すが、このような平面形状が略長方形のテントであれば、長辺部分に相当する対向する横梁構造体(3a,3b)に、撓ませた弾性フレーム(６)の両端(6a,6b)をそれぞれ連結することが好適である。長辺部分の横梁構造体は、横風等による横方向からの強い力や自重によって変形しやすいため、中央部分を天幕の内側面に密着させるように、弾性フレームを連結することで、１本の弾性フレームで効果的にテントの剛性を高めることが可能となる。
【００２５】
図１には、２本のシザーバー(９，９)がＸ字状に回動自在に連結してなるシザーユニット(10)を単独又は複数連結しパンタグラフ状に伸縮自在としたシザー組立体(11)を横梁構造体(３)とし、かかるシザー組立体の端部にある２本のシザーバーを支柱の上部に固定される固定ブラケット(12)と支柱に沿って摺動するスライドブラケット(13)にそれぞれ回動自在に取り付けて支柱(２，２)を連結したテントの例を示す。このようなシザー組立体を使用したテントでは、支柱を左右に押し開くと横梁構造体が自動的に展開するため、テントの設営が容易となる一方、横梁構造体を構成するシザー組立体は２本のバーを連結ピンで回動自在に軸着したＸ字状のフレームを連結して構成したものであることから、横風等の横方向からの応力に対しては軸着部分が破損あるいは変形しやく、テントの形状を維持できない危険性がある。本発明の組み立て式テントは、弾性フレーム(６)の弾性力により、弾性フレームと平行に位置する横梁構造体(3c,3d)のシザー組立体が伸張されるため、弾性フレーム(６)を連結した横梁構造体(3a,3b)をより効果的にテントの内側面に密着させることが可能となる。
【００２６】
スライドブラケット(13)と支柱(２)には、シザー組立体(11)が伸張され、テントの骨組みが完成する位置でスライドブラケットが固定されるよう互いに係合するためのロック機構を設ける場合もあるが、弾性フレームの弾性力により支柱相互を離間する方向に付勢することで、横梁構造体(3c,3d)の伸張を助勢し、突発的な強風が生じた場合にも、ロック機構の故障や破損を防ぎ、テントを強固に維持することができる。また、仮にロック機構が破損した場合にも、弾性フレームの弾性力によりテントは展張された状態を維持することができ、骨組みが崩れるなどの問題が生じることはない。
【００２７】
図６は、２本の弾性フレーム(６，６)を使用して、それぞれの弾性フレームで対向する２組の横梁構造体(3aと3b、3cと3b)を連結するように取り付けた実施形態と示すものである。このように２本の弾性フレームで平面四角形の４辺に相当する横梁部材をすべて天幕に密着させることにより、さらにテントの剛性を高めることが可能となる。
【００２８】
弾性フレーム(６)と横梁構造体(３)との連結は、図３に示すように、弾性フレーム(６)の先端(6a)に挿通部材(７)を設け、かかる挿通部材(７)の細軸部(7a)を、横梁構造体(３)に固定したベース基板(８)の貫通孔(8a)に挿通することにより行うことができる(図３(ａ))。挿通部材(７)には、細軸部(7a)の根元に貫通孔(8a)の直径より外径が太い太軸部(7b)が設けられており、挿通部材(７)の細軸部(7a)をベース基板(８)の貫通孔(8a)に挿通すると、弾性フレーム(６)の弾性力により太軸部(7b)はベース基板(８)の貫通孔(8a)周辺部分に当接するように付勢される。挿通部材(７)は弾性フレーム(６)の弾性力で付勢されているため、ベース基板(８)から簡単に抜け落ちることはないが、組み立て途中で誤って力を加えたり、突発的な強風で強い力が加えられた場合にも、抜け落ちることがないように、挿通部材(７)の先端には細軸部(7a)の外径より大きな径をもつ頭部(7c)を設けている。
【００２９】
横梁構造体に固定するベース基板(８)の取り付け位置は、特に限定されるものではないが、図３に示すように、２本のシザーバー(９，９)が連結する連結部(14a)において、２本のシザーバーを軸着するボルト(15)を利用してベース基板(８)を取り付ければ、弾性フレーム(６)の弾性力が２本のシザーバー(９，９)に同時に加えられるため、より効果的に横梁構造体(３)を天幕の内側面に密着させることができる。また図３は、ベース基板(８)を、２本のシザーバーが互いの端部で連結した連結部(14a)に取り付けた例を示すものであるが、２本のシザーバーがＸ字状となる中心の連結部(14b)に取り付けることもできる。
【００３０】
このようにして弾性フレーム(６)と横梁構造体(３)を連結すると、弾性フレーム(６)は、貫通孔(8a)に挿通した挿通部材(７)の細軸部(7a)を中心に揺動することができ、両端を結ぶ線を揺動軸線として弾性フレームを揺動させることが可能となる。揺動可能な弾性フレームは、例えば、突発的な強風を受けた場合にも、弾性フレーム(６)(屋根構造体(４))が揺動してテントの高さを低くし、力を受け流すことができるため、テントに破損や歪み等が生じることを防ぐことができる。また、テントの骨組みを組み立てる際には、例えば、取り付けやすい位置まで弾性フレームを倒した状態で横梁構造体に取り付け、取り付けた後、垂直平面上に位置するまで弾性フレームを揺動して屋根構造体を形成することもでき、組み立て作業を容易にすることができる。弾性フレームは、対向する横梁構造体の長手方向の略中央部分に連結するため、テント骨組みの他の部分と干渉することなく、弾性フレームを自由に揺動させることができる。
【００３１】
弾性フレーム(６)は、図４に示すように、複数の弾性ロッド(16a,16b)を連結ソケット(17)で軸方向に連結するものであることが好ましい。このように複数の弾性ロッドを連結ソケットで着脱可能に連結することにより、テントを使用した後には、弾性フレームを短い弾性ロッドに分解して収容することができ、持ち運びを容易にすることができる。図４は、一方の弾性ロッド(16a)の先端に連結ソケット(17)を固定し、かかる連結ソケット(17)に他方の弾性ロッド(16b)の先端を挿入して連結する例を示すものである。連結コード(18)は、ゴム等の弾性材料によるひも状部材であり、その一端を連結ソケット(17)の内側面に連結し、他端を弾性ロッド(16b)の先端あるいは内側面に連結することにより、弾性ロッドの紛失を防止するとともに連結作業を容易にするものである。連結コード(18)は、弾性ロッド(16a,16b)を連結すると弾性収縮して連結ソケット(17)の内部に収容される。
【００３２】
天幕(５)の内側表面には、弾性フレーム(６)を巻き留めるための巻き留め部材(19ａ)を備えることができる(図５(ａ))。このような天幕で屋根構造体(４)を覆い、巻き留め部材(19a)で弾性フレームを巻き留めることにより、弾性フレームを完全に固定することなく、適度な揺動を可能としながら、弾性フレームを拘束して屋根構造体の強度を向上させることができる。また、図６に示すように、２本の弾性フレームを連結する場合には、２本の弾性フレームが交差する部分で、２本まとめて巻き留め部材で巻き留めることができる。
【００３３】
巻き留め部材(19a)としては、例えば、「ベルクロ(ベルクロ インダストリーズ ベスローテン フエンノートチャップ社の商品名)」や「マジックテープ(株式会社クラレの商品名)」などの１対の面ファスナーを用いることができる。
【００３４】
また、天幕(５)は、略方形をなす各辺の辺沿いに、巻き留め部材(19b)が取り付けられており、当該巻き留め部材(19b)により、天幕の一辺をシザー組立体(11)を構成するシザーバー(９)に脱着可能に止着することができる(図５)。巻き留め部材(19b)としては、例えば、１対の面ファスナーを用いることができ、天幕の止着は、一方の面ファスナーをシザーバー(９)に巻き付けて折り返し、他方の面ファスナーに接合することにより行うことができる(図５(ｂ))。
【００３５】
天幕(５)の４つの角部(20)には、天幕と同じ材質の三角片(21)が接合され、当該三角片(21)の先端にはゴム等の弾性体(22)を介してフック(23)が取り付けられている(図５)。天幕で屋根構造体を覆った後、弾性体(22)を引き伸ばしながらフック(23)を支柱側面にあるフック穴(2a)に係合することにより、天幕の角部をテント骨組みに密着して取り付けることができる(図２)。
【符号の説明】
【００３６】
１  組み立て式テント
１ａ  テント骨組み
２  支柱
２ａ  フック穴
３  横梁構造体
３ａ  横梁構造体
３ｂ  横梁構造体
４  屋根構造体
５  天幕
６  弾性フレーム
６ａ  端部
６ｂ  端部
７  挿通部材
７ａ  細軸部
７ｂ  太軸部
７ｃ  頭部
８  ベース基板
８ａ  貫通孔
９  シザーバー
１０  シザーユニット
１１  シザー組立体
１２  固定ブラケット
１３  スライドブラケット
１４ａ  シザーバー連結部
１４ｂ  シザーバー連結部
１５  ボルト
１６ａ  弾性ロッド
１６ｂ  弾性ロッド
１７  連結ソケット
１８  連結コード
１９ａ  弾性フレーム巻き留め部材(面ファスナー)
１９ｂ  シザーバー巻き留め部材(面ファスナー)
２０  天幕の角部
２１  三角片
２２  弾性体(ゴム)
２３  フック
【図１】
2014109157.tif 000003
【図２】
2014109157.tif 000004
【図３】
2014109157.tif 000005
【図４】
2014109157.tif 000006
【図５】
2014109157.tif 000007
【図６】
2014109157.tif 000008